(57)【要約】【課題】  従来の電磁シールドロールスクリーンでは、ガイドレール等とスクリーン素材とが導電性ブラシ等を介して弾性的に接触して導通することで電磁シールド性能を発揮する構成であるため、スクリーンの開閉に伴う上下移動においてスクリーン素材が擦れて傷が付きやすい等の課題がある。【解決手段】  そこで本発明では、電磁シールドロールスクリーンにおいて、上部巻取り部４と、それから下方に突出させて、スクリーン素材１の両端縁を案内する導電性のガイドレール８ａ，８ｂの開口部の内面側に、開口端を内側に折り返してチョーク構造Ｃを形成すると共に、チョーク構造の開口部の内面とスクリーン素材間に間隙Ｇを形成した電磁シールドロールスクリーンを提案する。【選択図】    図３
2006188895.tif 000002
【特許請求の範囲】
【請求項１】
電磁シールド性を有するスクリーン素材をロール状に巻取り、下側に設けた開口部を介して出入り可能に構成した導電性の上部巻取り部と、上部巻取り部から下方に突出させて、スクリーン素材の両端縁を案内する導電性のガイドレールと、ガイドレールの下端間に設けて、スクリーン素材の下縁を当接させる導電性の接地部材とから構成し、上記上部巻取り部の開口部とガイドレールの開口部の内面側に、開口端を内側に折り返してチョーク構造を形成すると共に、チョーク構造の開口部の内面とスクリーン素材間に間隙を形成したことを特徴とする電磁シールドロールスクリーン。
【請求項２】
開口部の内部に電波吸収体を設置したことを特徴とする請求項１に記載の電磁シールドロールスクリーン
【請求項３】
スクリーン素材は、薄い導電層の表面に透光性の保護層を形成した高採光性のスクリーン素材であることを特徴とする請求項１又は２に記載の電磁シールドロールスクリーン
【発明の詳細な説明】
【技術分野】
【０００１】
本発明は、建物の窓等の開口部における電磁シールドを図るための電磁シールドロールスクリーンに関するものである。
【背景技術】
【０００２】
近年、移動体通信技術が広く普及してきており、この移動体通信技術は、屋外における、携帯電話、自動車電話等の、通話を主目的とした通信だけではなく、建物内におけるローカルエリアネットワーク（ＬＡＮ）のためのデータ電送手段としても利用されてきている。
【０００３】
このような移動体通信においては、携帯電話（800MHz帯、1.5GHz帯、1.9GHz帯）、無線ＬＡＮ（2.45GHz帯、5.2GHz帯）、ＰＨＳ（1.95GHz帯）等の通信機器が利用される。
【０００４】
このような通信機器を用いて建物の内部で高速大容量の通信を実現するためには、外部からの不要な電磁波を遮断して、内部での機器間の干渉を防止する必要があり、この手段の一つとして、電磁シールド技術が活用されている。
【０００５】
電磁シールド技術を利用した電磁シールドルームは、室を構成する壁、床及び天井の全ての面を抵抗率の低い金属等で隙間無く覆う必要がある。このため居住性が重要視される事務所等では、窓のように採光性を保持する必要がある部位においてシールド対策をどのように行うかが重要な点であり、このための様々な方法が検討されている。
【０００６】
一般に、建物の窓に使用される電磁シールド材には電磁シールドガラスと電磁シールドフィルムがある。前者の電磁シールドガラスには、ペアガラス（一般にはフロートガラス２層）の間に金属製メッシュ材を介装して導電層を形成したタイプや、ペアグラスの内側表面にＩＴＯ（酸化インジウム−スズ）等の金属を、採光性が確保できる厚みで塗布あるいはスパッタリングして導電層を形成したタイプがある。また、後者にはＰＥＴ等の採光性の高いフィルム素材にスパッタリングあるいは塗布して導電層を形成した電磁シールドフィルムがある。
【０００７】
また建物の窓の電磁シールドに関する従来技術としては、例えば特許文献１，２に示されるものがある。
特許文献１には、導電性を有するスクリーンを巻取り及び巻き降ろし可能に窓枠に取付けた電磁シールドロールスクリーンに関するもので、その構成は、巻取パイプを設けたヘッドボックスのスクリーン導出位置に、スクリーンと接触する導電性ガイドローラーが設けられており、また窓枠の両側部のガイドレールには、スクリーンの両側端部と接触し、スクリーンの昇降方向に沿って配される導電性ブラシが設けられており、更にスクリーンの下端に取付けられるウエイトバーの下端には窓枠等に接触可能な導電性プレートが設けられていて、これらの構成により導電性を有するスクリーンが前記導電性ガイドローラー、導電性ブラシ及び導電性プレートに電気的に導通される構成としたものである。
また特許文献２は、特許文献１と同様に導電性を有するスクリーンを巻取り及び巻き降ろし可能に窓枠に取付けた電磁シールドロールスクリーンに関するもので、その構成は、巻取パイプを設けたヘッドボックスのスクリーン導出位置に、スクリーンと接触する導電性ガイドローラーが設けられており、また両側のガイドレールには、スクリーンの両側端部と接触し、スクリーンの昇降方向に沿って配される導電性ブラシが設けられており、更にスクリーンの下端に取付けられるウエイトバーの下端には取付枠に接触可能な導電性プレートが設けられており、そしてスクリーンは内部に導電層を有すると共に非導電層によってその外表面が被覆されている構成で、スクリーンの上部、左右両側端部及び下部には導電性帯状部材が導電性糸によって縫着されていて、スクリーンは、この導電性糸及び導電性帯状部材を介してそれぞれ導電性ガイドローラー、導電性ブラシ及び導電性プレートに電気的に導通される構成としたものである。
【０００８】
一方、利用分野は異なるが、例えば特許文献３，４に示されるように、電子レンジにおいては、チョーク構造を利用してドア部分からの電磁波の漏洩を防止することが行われている。
【特許文献１】特開平１１−１９１６８９号公報
【特許文献２】特開２０００−３１６８１号公報
【特許文献３】特開平９−１４６６７号公報
【特許文献４】特開平１０−２４１８５５号公報
【発明の開示】
【発明が解決しようとする課題】
【０００９】
上述したような従来の電磁シールドロールスクリーンでは、電磁シールドロールスクリーンのスクリーン素材として、採光性の高い電磁シールドフィルムを利用する場合、シールド性能を発揮するための導電層が非常に薄いため、外部からの衝撃に耐え得るようにする目的で、導電層の表面にＰＥＴやハードコート等の補強層を形成する。しかしながら、これらの補強層は、通常、絶縁体で形成されるため、導電層とガイドレール等の導電性部材との間に、補強層の厚み分の電磁気的な隙間が生じてしまう。従ってこの隙間から電磁波の漏洩が生じるため、電磁シールド性能が著しく低下してしまう。
【００１０】
また、上述した従来の電磁シールドロールスクリーンでは、ガイドレールとスクリーン素材とが導電性ブラシ等を介して弾性的に接触して導通することで電磁シールド性能を発揮する構成であるため、スクリーンの開閉に伴う上下移動においてスクリーン素材が擦れて傷が付きやすい。
【００１１】
また、スクリーンの開閉が多いと、導電性ブラシの弾性が疲労により劣化して十分な接触圧力が得られなくなり、それに伴って、スクリーン素材と導電性ブラシとの間に隙間が生じて電磁シールド性能が劣化してしまう。このため一定期間でスクリーン素材と導電性ブラシを交換する必要がある。
【００１２】
更に、従来のものでは、スクリーン素材とガイドレール間に必要な遊びを導電性ブラシ等で埋めるため、設置には高精度な施工が望まれる。これは、遊びが大きいと、当然、隙間が生じ、電磁シールド性能が著しく低下するためである。
そこで、本発明では、電磁的に非接触でも電磁ノイズの減衰に効果がある電波吸収体や電子レンジ等で利用されているチョーク構造を合理的に電磁シールドロールスクリーンに適用することにより、以上のような課題を解決することを目的とするものである。
【課題を解決するための手段】
【００１３】
上述した課題を解決するために、本発明では、まず、電磁シールド性を有するスクリーン素材をロール状に巻取り、下側に設けた開口部を介して出入り可能に構成した導電性の上部巻取り部と、上部巻取り部から下方に突出させて、スクリーン素材の両端縁を案内する導電性のガイドレールと、ガイドレールの下端間に設けて、スクリーン素材の下縁を当接させる導電性の接地部材とから構成し、上記上部巻取り部の開口部とガイドレールの開口部の内面側に、開口端を内側に折り返してチョーク構造を形成すると共に、チョーク構造の開口部の内面とスクリーン素材間に間隙を形成した電磁シールドロールスクリーンを提案する。
【００１４】
また本発明では、上記の構成において、開口部の内部に電波吸収体を設置することを提案する。
【００１５】
さらに本発明では、以上の構成において、スクリーン素材は、薄い導電層の表面に透光性の保護層を形成した高採光性のスクリーン素材とすることを提案する。
【発明の効果】
【００１６】
以上の本発明では、上部巻取り部の下側の開口部とガイドレールの開口部の内面側にチョーク構造を形成しているので、これらのチョーク構造の開口部の内面とスクリーン素材間に間隙を形成しても、チョーク構造により特定周波数での電磁シールド性能を発揮することができる。さらに本発明では、開口部の内部に配置した電波吸収体により、チョークとは異なる周波数帯域でのシールド性能を確保することができ、これらを組み合わせることで、広い周波数帯域をカバーすることができる。
【００１７】
このためスクリーン素材として、採光性を高めるために導電層が非常に薄く、その表面に絶縁体の補強層が形成されている高採光性スクリーン素材を使用した場合にも、良好な電磁シールド性能を発揮することができる。
【００１８】
そして上述したとおり、上部巻取り部のチョーク構造の開口部あるいは電波吸収体及びガイドレールのチョーク構造の開口部の内面とスクリーン素材間に間隙を形成しているので、スクリーンの開閉に際してのスクリーン素材の上下動において、上記開口部の内面と擦れることがなく、従ってスクリーン素材に擦れによる傷が付かない。
【００１９】
また上記間隙を形成することにより、高精度の施工が不要で、施工が容易である。
【００２０】
また開口部の内面に設け、スクリーン素材に弾性的に接触させて導通を行わせるための導電性ブラシ等を必要としないので、疲労による弾性の劣化に起因する電磁シールド性能の劣化がない。
【００２１】
以上のことから、一定期間でのスクリーン素材やその他の構成要素の交換の必要がなくなる。
【００２２】
また本発明では、チョーク構造と電波吸収体との組み合わせによる電磁シールドであるから、シールド周波数を適宜選択することができ、電磁シールドの必要な周波数以外の電磁波を透過させることができる。
【発明を実施するための最良の形態】
【００２３】
本発明では、狭帯域のシールドを目的としたチョーク構造と同じく狭帯域の電波吸収体を組み合わせることで、比較的広帯域のシールド性能を確保することができる。
【実施例１】
【００２４】
次に本発明に係る電磁シールドロールスクリーンの一実施例を図１〜図６を参照して説明する。
図１は本発明に係る電磁シールドロールスクリーンの正面図、図２、図３は図１の夫々Ａ−Ａ線、Ｂ−Ｂ線断面図である。また図４、図６は夫々図２の上側、下側の拡大図、図５は図３の左側の拡大図である。
【００２５】
図において、符号１は電磁シールド性を有するスクリーン素材である。このスクリーン素材１は、薄い導電層２の表面に絶縁体の保護層３を形成したものとしている。
【００２６】
このようなスクリーン素材１は、例えば、ポリエチレンテレフタレート（ＰＥＴ）等のフィルム素材に、ＩＴＯや銀等の金属薄膜による導電層２を、塗布やスパッタリング等で、採光性が確保できる厚みに形成すると共に、その表面にエポキシ樹脂系接着剤、シリコーン粘着材又はアクリル系接着剤等の接着剤を塗布して保護層３を形成したものとすることができる。
【００２７】
この他、スクリーン素材１は、例えば、銅箔やアルミニウム箔等の金属箔、金属繊維、ガラス繊維等に金属をコーティングした導電性繊維等を、通常のスクリーン素材、例えばポリエステルやアクリル等の化学繊維の布に織り込んで導電層を形成した電磁シールド布材として構成することができる。更に他の例として、スクリーン素材１は、金属製メッシュ材又はガラス繊維等の絶縁性繊維の表面に金属をコーティングした繊維をメッシュ状に構成してメッシュ状の導電層を形成した電磁シールド繊維メッシュとして構成することができる。
【００２８】
そして以上のスクリーン素材１は、表面が導電層２であったり、導電層２の表面に絶縁体の保護層３を有するものであってもよい。
【００２９】
符号４はスクリーン素材１をロール状に巻取り、下側に設けた開口部５を介して出入り可能に構成した上部巻取り部であり、この上部巻取り部４は、上記スクリーン素材１を巻き取る巻取りロール６と、この巻取りロール６を格納する金属製ロールカバー７とから構成している。巻取りロール６と、それを回転可能に支持して、スクリーン素材１を巻き取るための機構は周知の適宜の機構を適用することができる。
【００３０】
次に符号８ａ，８ｂは上部巻取り部４から下方に突出させて、スクリーン素材１の両端縁を案内する金属製のガイドレールであり、これらのガイドレール８ａ，８ｂは開口部９ａ，９ｂを対向させたコ字状の構成としている。
【００３１】
次に符号１０はスクリーン素材１の下縁を当接させる導電性の接地部材としての金属板であり、この金属板は上部に開口部１１を有する扁平な溝型形状としている。接地部材１０としては、例えば鉄、ステンレス、アルミニウム又は亜鉛メッキ鋼板等を用いることができる。
【００３２】
以上に概括的に説明したように、本発明の電磁シールドロールスクリーンは、上記スクリーン素材１、上部巻取り部４、ガイドレール８ａ，８ｂ及び接地部材１０を構成要素とするものであり、次に特徴となる構成を説明する。
【００３３】
まず図４に示すように、上部巻取り部４においては、金属製ロールカバー７の開口部５側に帯状金属板１２ａ，１２ｂを並設し、それらの開口端は夫々内側にコ字状に折り返されていて、このコ字状の折り返し部１３ａ，１３ｂにより第１のチョーク構造Ｃ１を形成している。一方、この第１のチョーク構造Ｃ１よりも内側において、金属製ロールカバー７の開口側５には、帯状金属板１４ａ，１４ｂを並設し、それらの下端は夫々内側にＬ状に突出していて、このＬ状の突出部１５ａ，１５ｂにより第２のチョーク構造Ｃ２を形成している。
【００３４】
そして更に帯状金属板１３ａ，１３ｂの内面と金属製ロールカバー７の内面には、電波吸収体１６（１６ａ，１６ｂ，１６ｃ，１６ｄ）を設置している。
【００３５】
そして図４に示すように、第１のチョーク構造Ｃ１の開口部５’の内面とスクリーン素材１間に間隙Ｇを形成している。すなわち、この実施例では、スクリーン素材１は、薄い導電層２の表面に絶縁体の保護層３を形成したものであるので、電磁波に対しての間隙は、内面からスクリーン素材１の表面までの間隙Ｇ１，Ｇ２と保護層３の厚さｄとの和、すなわち一方側の間隙Ｇ１＋ｄ、他方側の間隙Ｇ２＋ｄとなる。
【００３６】
また図５に示すように、ガイドレール８ａ（８ｂ）においては、その開口側に帯状金属板１７ａ，１７ｂを並設し、それらの開口端は夫々内側にコ字状に折り返されていて、このコ字状の折り返し部１８ａ，１８ｂにより第３のチョーク構造Ｃ３を形成している。そしてガイドレール８ａ（８ｂ）の内面側には電波吸収体１６（１６ｅ，１６ｆ，１６ｇ）を設置している。
【００３７】
図３、図５に示すように、第３のチョーク構造Ｃ３の開口部９ａ’，９ｂ’の内面とスクリーン素材１間に間隙Ｇを形成している。すなわち、電磁波に対しての間隙は、夫々の内面からスクリーン素材１の表面までの間隙Ｇ３と保護層３の厚さｄの和、すなわちＧ３＋ｄとなる。
【００３８】
次に図６に示すように接地部材１０においては、上部の開口部１１に、例えばゴムやウレタン等の比較的柔らかい素材の表面を金属メッシュで包んだ構成や、ゴムやウレタン等の比較的柔らかい素材中に金属繊維や金属粉を含有させて導電性を持たせた導電性のシールドガスケット１９を設置する。
【００３９】
一方、スクリーン素材１の下縁においては、一対の金属製のＬアングル２０ａ，２０ｂにより下縁を挟んで金属ビス２１でスクリーン素材１を貫通させて固定し、このＬアングル２０ａ，２０ｂを上記シールドガスケット１９に当接させて、スクリーン素材１と接地部材１０を導通させる構成としている。そしてＬアングル２０ｂにはスクリーン素材１の昇降操作用取っ手２２を設けており、また図示は省略しているが、適所に、Ｌアングル２０ａ，２０ｂを、シールドガスケット１９に当接状態で保持するための保持機構を設けている。
【００４０】
以上の構成において、本発明では、上部巻取り部４側の開口部５とガイドレール８ａ，８ｂの開口部９ａ，９ｂの内面側にチョーク構造Ｃ（Ｃ１，Ｃ２，Ｃ３）を形成しているので、これらのチョーク構造Ｃの開口部の内面とスクリーン素材間に間隙Ｇ（Ｇ１，Ｇ２，Ｇ３）を形成しても、チョーク構造Ｃにより電磁シールド性能を発揮することができる。
【００４１】
一方、スクリーン素材１は、その下縁において、金属製のＬアングル２０ａ，２０ｂ、シールドガスケット１９を介して接地部材１０と導通するので、スクリーン素材１に入射した電磁波は接地部材１０に接地された状態となり、このことからも外部から室内へ、室内から外部への電磁波の漏洩を防止することができる。
【００４２】
こうして本発明では、チョーク構造Ｃと電波吸収体１６とにより電磁シールドを行うので、チョーク構造Ｃの開口部の内面とスクリーン素材１間に間隙Ｇ（Ｇ１，Ｇ２，Ｇ３）を形成しても電磁シールド性能を発揮することができる。
【００４３】
このためスクリーン素材１として、採光性を高めるために導電層２が非常に薄く、その表面に絶縁体の補強層３が形成されている高採光性スクリーン素材を使用した場合にも、良好な電磁シールド性能を発揮することができ、窓等、採光性を保持する必要のある個所における電磁シールドを確実に行うことができる。
【００４４】
そして上述したとおり、チョーク構造Ｃの開口部の内面とスクリーン素材１間に間隙Ｇを形成していることにより、スクリーンの開閉に際してのスクリーン素材１の上下動において、上記開口部の内面と擦れることがなく、従ってスクリーン素材１に擦れによる傷が付かない。
【００４５】
また上記間隙Ｇを形成することにより、高精度の施工が不要で、施工が容易である。
【００４６】
また従来の電磁シールドロールスクリーンのように、開口部の内面に設け、スクリーン素材に弾性的に接触させて導通を行わせるための導電性ブラシ等を必要としないので、疲労による弾性の劣化に起因する電磁シールド性能の劣化がない。
【００４７】
以上のことから、一定期間でのスクリーン素材やその他の構成要素の交換の必要がなくなる。
【００４８】
このように、本発明では、チョーク構造Ｃによる電磁シールドであるから、チョーク構造Ｃの寸法諸元、例えばチョーク構造Ｃ１，Ｃ３を構成する溝部の幅Ｗ１，Ｗ２と深さＤ１，Ｄ１を調節し、溝部のこれらの寸法が、電磁シールドの必要な周波数の電磁波に対して、１／４波長となるように設定することにより、シールド周波数を適宜選択することができ、電磁シールドの必要な周波数以外の電磁波は透過させることができる。
【００４９】
更に本発明では、チョーク構造Ｃに加えて、上部巻取り部４側の開口部５とガイドレール８ａ，８ｂの開口部９ａ，９ｂの内部に電波吸収体１６（１６ａ〜１６ｇ）を設置しているので、チョーク構造Ｃのみではシールドできない電磁波も効果的にシールドすることができる。例えばチョーク構造Ｃによっては比較的狭帯域の電磁波しかシールドを行えないが、電波吸収体１６（１６ａ〜１６ｇ）により他の周波数の電磁波を吸収して漏洩を低減することができる。この場合、複数の電波吸収体１６（１６ａ〜１６ｂ）は、全てシールド対象の周波数を一致させても良いし、異ならせても良い。
【００５０】
かかる電波吸収体１６（１６ａ〜１６ｂ）は、例えばゴム等の基材に磁性体と誘電体とを適宜に配合して板状あるいはシート状に形成したもの等を利用することができる。
【産業上の利用可能性】
【００５１】
本発明は以上のとおり、電子レンジ等で利用されているチョーク構造や電波吸収体を合理的に電磁シールドロールスクリーンに適用することにより、従来の電磁シールドロールスクリーンが有する上述した数々の課題を解決することができ、産業上の利用可能性が大である。
【図面の簡単な説明】
【００５２】
【図１】本発明に係る電磁シールドロールスクリーンの正面図である。
【図２】図１のＡ−Ａ線断面図である。
【図３】図１のＢ−Ｂ線断面図である。
【図４】図２の上側の拡大図である。
【図５】図３の左側の拡大図である。
【図６】図２の下側の拡大図である。
【符号の説明】
【００５３】
１                      スクリーン素材
２                      導電層
３                      保護層
４                      上部巻取り部
５，５’                開口部
６                      巻取りロール
７                      金属製ロールカバー
８ａ，８ｂ              ガイドレール
９ａ，９ｂ              開口部
１０                    接地部材
１１                    開口部
１２ａ，１２ｂ          帯状金属板
１３ａ，１３ｂ          帯状金属板
１４ａ，１４ｂ          帯状金属板
１５ａ，１５ｂ          Ｌ状突出部
１６（１６ａ〜１６ｇ）  電波吸収体１７ａ，１７ｂ帯状金属板
１８ａ，１８ｂ          折り返し部
１９                    シールドガスケット
２０ａ，２０ｂ          Ｌアングル
２１                    金属ビス
２２                    昇降操作用取っ手
【図１】
2006188895.tif 000003
【図２】
2006188895.tif 000004
【図３】
2006188895.tif 000005
【図４】
2006188895.tif 000006
【図５】
2006188895.tif 000007
【図６】
2006188895.tif 000008